(57)【要約】【課題】会議などのように、音声は全て記録したいが、画像は動画ではなく、静止画で十分という場合、動画記録形式では十分な時間の記録を行なうことが困難である。このような場合に少ないデータ容量でも長時間の記録を可能する装置を提供することが本発明の目的である。【解決手段】音声記録形式と静止画記録形式で記録することにより、少ない容量で長時間の記録を実現するとともに、音声の音量の増加に連動して静止画の撮影を行い、操作者が手動で操作する必要をなくす。【選択図】　図５
2004135233.tif 000002
【特許請求の範囲】
【請求項１】
記録媒体にディジタルデータを記録する音声及び静止画データの記録装置であって、
外部の音声を取り込む音声入力部と、
前記音声入力部により取り込まれた音声の音量増加を検出する音量変化検出部と、
前記音量変化検出部により音量の変化が検出されたときに外部の映像を静止画として取り込む静止画入力部と、
前記音声入力部により取り込まれた音声を前記音量変化検出部が音量の増加を検出したときに分割する音声分割部と、
前記静止画入力部により取り込まれた静止画と前記音声分割部により分割された音声を関連付けて記録媒体に記録する記録制御部と、
を備える、音声及び静止画データの記録装置。
【請求項２】
前記音声入力部により取り込まれた音声のエンコードを行なう音声エンコード部と、
前記静止画入力部により取り込まれた静止画のエンコードを行なう静止画エンコード部とを備え、
前記音声分割部は、前記音声エンコード部によりエンコードされた音声データを分割し、
前記記録制御部は、前記音声分割部により分割された音声データと前記静止画エンコード部によりエンコードされた静止画データを関連付けて記録媒体に記録する、請求項１記載の音声及び静止画データの記録装置。
【請求項３】
前記記録制御部は、音声をＳＤ−Ａｕｄｉｏ規格に準拠したオーディオオブジェクトとして記録し静止画データをＳＤ−Ａｕｄｉｏ規格に準拠したピクチャーオブジェクトとして記録し音声データと静止画データの関連付け情報をＳＤ−Ａｕｄｉｏ規格に準拠したトラック情報として記録する、請求項２記載の音声及び静止画データの記録装置。
【請求項４】
前記音声及び静止画データの記録装置はさらに、
外部に出力する音声及び静止画を選択するための再生制御ボタン部と、
前記再生制御ボタン部により選択された音声及び静止画を記録媒体から読み込む再生制御部と、
前記再生制御部により読み込まれた静止画を外部に出力する静止画出力部と、
前記再生制御部により読み込まれた音声を外部に出力する音声出力部と、
を備える、請求項１記載の音声及び静止画データの記録装置。
【発明の詳細な説明】
【０００１】
【発明の属する技術分野】
本発明は、音声と静止画をディジタルデータとして、記録または再生する記録再生装置に関する。特に、音声データと静止画データを関連付けて記録する方法に関する。
【０００２】
【従来の技術】
従来、静止画と音声とを記録する技術として、例えば特許文献１がある。また、画像と音声を関連付けて記録するためには、ＭＰＥＧ１（ＩＳＯ／ＩＥＣ１４７７２−１：１９９７）等の動画記録形式で記録する方法があった。動画記録形式は、音声記録形式に比べてデータサイズが大きいという特徴がある。
【０００３】
【特許文献１】
特開平４−３１０４３７号公報
【０００４】
【発明が解決しようとする課題】
しかしながら、会議などのように、音声は全て記録したいが、画像は動画ではなく、静止画で十分という場合がある。特に携帯端末等で半導体メモリカードに録音を行なう際は、一般的に半導体メモリカードの容量は小さいため、記録すべきデータの量を少なくする必要があり、動画記録形式では十分な時間の記録を行なうことが困難である。
【０００５】
そこで、ＭＰＥＧ１等の動画記録形式ではなく、ＡＡＣ形式（ＭＰＥＧ２−ＡＡＣ　ＩＳＯ／ＩＥＣ１３８１８−７）やＭＰ３（ＭＰＥＧ−１　Ａｕｄｉｏ　Ｌａｙｅｒ３　ＩＳＯ／ＩＥＣ１１１７２−３）等の音声記録形式とＪＰＥＧ（ＩＳＯ／ＩＥＣ１０９１８−１：１９９４）等の静止画記録形式で記録することにより、少ない容量で長時間の記録を行なうことは可能である。
【０００６】
しかしながら、静止画の撮影タイミングを操作者が手動で指示するとなると、会議中に何度も装置を操作する必要があり、煩雑である。
【０００７】
そこで本発明では、音声は全て記録したいが画像は静止画で十分であるという場合に、少ないデータ容量でも長時間の記録を可能する装置を提供することであり、特に音声の音量の増加に連動して撮影を行い、操作者が手動で操作する必要なく音声及び静止画の記録を行なうことを目的とする。
【０００８】
【課題を解決するための手段】
上記課題を解決するために、本発明の記録装置は、記録媒体にディジタルデータを記録する音声及び静止画データの記録装置であって、外部の音声を取り込む音声入力部と、前記音声入力部により取り込まれた音声の音量増加を検出する音量変化検出部と、前記音量変化検出部により音量の変化が検出されたときに外部の映像を静止画として取り込む静止画入力部と、前記音声入力部により取り込まれた音声を前記音量変化検出部が音量の増加を検出したときに分割する音声分割部と、前記静止画入力部により取り込まれた静止画と前記音声分割部により分割された音声を関連付けて記録媒体に記録する記録制御部と、を備えることを特徴とする。
【０００９】
【発明の実施の形態】
以下、本発明の実施の形態を図面に基づいて詳細に説明を行う。
【００１０】
図１は、音声及び静止画データの記録再生装置１００の構成を示すものである。
【００１１】
音声及び静止画データの記録再生装置１００は音声及び静止画データの記録装置１１０と音声及び静止画データの再生装置１２０と切替スイッチ１３０から構成される。
【００１２】
本発明における音声及び静止画データの記録再生装置１００は、記録モード、再生モード、停止モードの３つのモードを持っている。
【００１３】
記録モードでは、音声及び静止画データの記録再生装置１００は外部の音声や静止画を取り込み、記録媒体であるＳＤメモリカード１４０に記録する。
【００１４】
再生モードでは、音声及び静止画データの記録再生装置１００は、ＳＤメモリカード１４０に記録されている音声データや静止画データを外部に出力する。
【００１５】
停止モードでは、音声及び静止画データの記録再生装置１００は、モードが記録モード又は再生モードに切り替わるまでは何も行わない。
【００１６】
切替スイッチ１３０は、操作者による記録モード、再生モード、停止モードの変更を受け付けるスイッチである。
【００１７】
本実施の形態では、音声及び静止画データの記録装置１１０は、音声及び静止画を、ＳＤメモリカード１４０にＳＤ−Ａｕｄｉｏ規格に基づいたデータとして記録するものとする。ＳＤ−Ａｕｄｉｏ規格とは、２０００年２月にＳＤ　Ｇｒｏｕｐにより発行された“ＳＤ　Ｍｅｍｏｒｙ　Ｃａｒｄ　Ｓｐｅｃｉｆｉｃａｔｉｏｎｓ／Ｐａｒｔ４．　Ａｕｄｉｏ　Ｓｐｅｃｉｆｉｃａｔｉｏｎｓ”を指す。
【００１８】
以下、図２を用いてＳＤ−Ａｕｄｉｏ規格のデータ構造のうち本発明に関係する部分について説明する。
【００１９】
ＳＤ−Ａｕｄｉｏ規格のデータは、トラック情報格納ファイルと、最大９９９個までの音声データファイルと、最大９９９個までの静止画データファイルを含む。
【００２０】
トラック情報ファイルは、最大９９９個のトラック情報を含んでいる。トラック情報は、そのトラックに対応する音声データと静止画データの番号を含んでいる。図２の例では、トラック情報＃１は、トラック＃１が音声データ＃１と静止画データ＃１を含んでいることを示している。例えば、後述の音声及び静止画データの再生装置を用いてトラック＃１を再生すると、音声データ＃１が再生され、静止画データ＃１が表示される。同様に、トラック情報＃ｉは、トラック＃ｉが音声データ＃ｉと静止画データ＃ｉを含んでいることを示している。ここで、ｉは、１≦ｉ≦９９９をとる整数である。本実施の形態では、音声データファイルと静止画データファイルを１対１で作成するので、トラック情報＃ｉに含まれている音声データと静止画データの番号は常にｉであるが、ＳＤ−Ａｕｄｉｏ規格では静止画データは無くても良いので、音声のみＳＤ−Ａｕｄｉｏ規格に基づいたデータとして記録する装置を用いてＳＤメモリカード１４０に記録した後、本発明における音声及び静止画データの記録装置１１０を用いて音声及び静止画を記録した場合、トラック情報＃ｉに含まれる音声データと静止画データの番号はｉとは限らないが、その場合であっても、音声データと静止画データは１対１で作成する。
【００２１】
音声データファイルはＳＤ−Ａｕｄｉｏ規格のオーディオオブジェクトであり、例えばＣＰＲＭ規格に基づいて暗号化されたＡＡＣ形式である。ＣＰＲＭ規格とは、２０００年８月に４Ｃ　Ｅｎｔｉｔｙにより発行された“ＣｏｎｔｅｎｔＰｒｏｔｅｃｔｉｏｎ　ｆｏｒ　Ｒｅｃｏｒｄａｂｌｅ　Ｍｅｄｉａ　Ｓｐｅｃｉｆｉｃａｔｉｏｎ　ＳＤ　Ｍｅｍｏｒｙ　Ｃａｒｄ　Ｂｏｏｋ”を指す。
【００２２】
静止画データファイルはＳＤ−Ａｕｄｉｏ規格のピクチャーオブジェクトであり、例えばＪＰＥＧ形式である。
【００２３】
図３及び図４は、本発明における音声及び静止画データの記録再生装置１００の外観の一例である。図４は、図３記載の音声及び静止画データの記録再生装置１００を背面から見た図である。これらの図において、音声及び静止画データの記録再生装置１００は切替スイッチ１３０、音声の入力部であるマイク装置２００、ＳＤメモリカード１４０の挿入口、静止画の入力部であるカメラ装置２１０、再生制御ボタン部３００、音声出力部であるスピーカー装置３１０、静止画出力部であるディスプレイ装置３２０を有している。再生制御ボタン部３００には、再生するトラック番号を選択するための上ボタン、下ボタン、左ボタン、右ボタンと、再生を開始するための再生ボタンから構成されている。
【００２４】
図５は、音声及び静止画データの記録装置１１０の構成を示すものである。
【００２５】
音声及び静止画データの記録装置１１０は、マイク装置２００と、音量変化検出部４００と、音声エンコード部４１０と、音声分割部４２０と、音声暗号化部４３０と、カメラ装置２１０と、静止画エンコード部４４０と、記録制御部４５０から構成される。
【００２６】
マイク装置２００は、外部の音声５００を取り込むハードウェアである。
【００２７】
音量変化検出部４００は、例えば１０ミリ秒毎にマイク装置２００により入力された音声の音量を検出し、その変化をカメラ装置２１０と音声分割部４２０に通知するハードウェアまたはソフトウェアである。なお、音声の音量を検出する間隔は１０ミリ秒ではなく、値が決まっていれば良い。
【００２８】
音声エンコード部４１０はマイク装置２００により入力された音声をＡＡＣ形式等のＳＤ−Ａｕｄｉｏ規格の音声エンコード形式に変換するハードウェアまたはソフトウェアである。
【００２９】
音声分割部４２０は、音量変化検出部４００により音量の変化が検出されたときに、検出以前の音声データと検出後の音声データを別のデータとして音声暗号化部４３０に送るハードウェア又はソフトウェアである。
【００３０】
音声暗号化部４３０は、ＣＰＲＭ規格に基づいて音声データの暗号化を行うハードウェアまたはソフトウェアである。
【００３１】
カメラ装置２１０は、外部の風景５１０を静止画として取り込むハードウェアである。
【００３２】
静止画エンコード部４４０は、入力された静止画をＪＰＥＧ形式等のＳＤ−Ａｕｄｉｏ規格の静止画エンコード形式に変換するハードウェアまたはソフトウェアである。
【００３３】
記録制御部４５０は、音声暗号化部４３０により暗号化された音声データをＳＤメモリカード１４０に音声データファイルとして記録し、音声エンコード部４１０によりエンコードされた静止画データをＳＤメモリカード１４０に静止画データファイルとして記録し、トラック情報を作成してＳＤメモリカード１４０のトラック情報ファイルに記録するハードウェアまたはソフトウェアである。
【００３４】
以下、図６を用いて音声及び静止画データの記録装置１１０の各部の動作について説明する。
【００３５】
操作者が切替スイッチ１３０を操作して記録モードに変更することにより、以下の処理が開始される。
【００３６】
ステップＳ１００において、変数ｉを１に設定する。なお、処理開始前からＳＤメモリカード１４０にデータが格納されていた場合等、１になるとは限らない。
【００３７】
ステップＳ１１０において、マイク装置２００が入力を開始する。この時点ではまだ入力した音声はＳＤメモリカード１４０に記録しない。
【００３８】
ステップＳ１２０において、音量変化検出部４００により音量変化が検出されるか、操作者が切替スイッチ１３０を操作することにより、モード変更が検出されるまで待つ。音量変化が検出された場合、ステップＳ１３０へ移行し、モード変更が検出された場合、ステップＳ２２０へ移行する。
【００３９】
ステップＳ１３０において、マイク装置２００が入力した音声の記録を開始する。マイク装置２００により入力された音声は、音声エンコード部４１０によりエンコードされ、音声暗号化部４３０により暗号化され、記録制御部４５０によりＳＤメモリカード１４０の音声データファイル＃ｉへの記録が開始される。
【００４０】
ステップＳ１４０において、カメラ装置２１０が外部の風景５１０を取り込み、静止画エンコード部４４０によりエンコードされ、記録制御部４５０によりＳＤメモリカード１４０の静止画データファイル＃ｉへ記録される。
【００４１】
ステップＳ１５０において、音量変化検出部４００により音量変化が検出されるか、操作者が切替スイッチ１３０を操作することにより、モード変更が検出されるまで待つ。音量変化が検出された場合ステップＳ１６０へ移行し、モード変更が検出された場合、Ｓ２００へ移行する。
【００４２】
ステップＳ１６０において、それまで音声データの記録先を、音声データファイル＃ｉから音声データファイル＃ｉ＋１へ変更する。
【００４３】
ステップＳ１７０において、音声データの番号はｉであり静止画データの番号がｉであるトラック情報を作成し、ＳＤメモリカード１４０のトラック情報ファイルにトラック情報＃ｉとして記録する。
【００４４】
ステップＳ１８０において、カメラ装置２１０が外部の風景５１０を取り込み、静止画エンコード部４４０によりエンコードされ、記録制御部４５０によりＳＤメモリカード１４０の静止画データファイル＃ｉ＋１へ記録される。
【００４５】
ステップＳ１９０において、変数ｉの値に１を加え、ステップＳ１５０へ移行する。
【００４６】
ステップＳ２００は、音声を音声データファイル＃ｉに記録中にモードが変更されたときに処理される。ステップＳ２００において、記録制御部４５０は音声データファイル＃ｉへの記録を停止する。
【００４７】
ステップＳ２１０において、ステップＳ１７０と同様にトラック情報を作成し、ＳＤメモリカード１４０へ記録する。
【００４８】
ステップＳ２２０において、マイク装置２００は入力を停止し、操作者が切替スイッチ１３０を用いて変更したモードへ移行する。
【００４９】
次に、音量変化を検出する方法について説明する。
【００５０】
音量変化検出部４００は、マイク装置２００により入力された音声を１０ミリ秒毎に区切り、１０ミリ秒間の平均値を検出に使用する。以下、この１０ミリ秒間の平均値を、サンプル値と記述する。なお、平均値ではなく、最大値を用いても良い。
【００５１】
音量変化検出部４００は、音量の変化を検出するための検出モードとして、傾き検出モードと有音検出モードがある。
【００５２】
傾き検出モードは、ある時点でのサンプル値と、その１０ミリ秒前のサンプル値を比較し、その差が一定値を超えていたら、音量が変化したと検出するモードである。
【００５３】
有音検出モードは、ある時点でのサンプル値が、一定値を越えていたら音量が変化したと検出するモードである。
【００５４】
音量変化検出部４００は、音量の変化を検出した後１０秒は、サンプル値の変化に関わらず、音量が変化したと検出しない。以下、この期間を不感期間と記述する。なお、不感期間は長さが決まっていれば良く、１０秒でなくても良い。
【００５５】
さらに、音量変化検出部４００は、不感期間において、サンプル値が変化し不感期間以外であれば音量が変化したと検出されていたという場合には、その時点から１０秒を不感期間とし、不感期間を延長する。この処理により、音量が激しく変化する期間をまとめてひとつの場面として認識し、一枚だけ静止画を撮影する処理が実現できる。
【００５６】
本実施の形態では、音量変化検出部４００は傾き検出モードと有音検出モードを備えているが、どちらか片方でも良い。また、例えば図６のステップＳ１２０においては有音検出モードを用い、ステップＳ１５０においては傾き検出モードを用いるというように、併用しても良い。
【００５７】
図７は、音量変化に応じて音量変化が検出される様子の一例である。
【００５８】
以下、図７を用いて、音量変化検出部４００の傾き検出モードにおける動作の例を説明する。傾きが一定値以上であると判定されるのは、Ａ、Ｂ、Ｃ、Ｄ、Ｅ、Ｆ、Ｇ、Ｈの８点である。実際には各点の直後においても傾きが一定値以上であると判定されるが、明らかに不感期間内なので、図７からは省略してある。
【００５９】
Ａ点において、傾きが一定値以上となり、音量変化が検出されるとともに不感期間が設定される。Ｂ点は不感期間内なので、音量変化を検出することなく不感期間だけを延長する。続くＣ点、Ｄ点、Ｅ点も同様に不感期間内なので、不感期間だけを延長して音量変化は検出しない。Ｆ点は不感期間が過ぎた後なので、音量変化が検出される。Ｇ点、Ｈ点ではＢ点と同様に不感期間内なので、不感期間だけを延長して音量変化は検出しない。
【００６０】
図８は、音声及び静止画データの再生装置１２０の構成を示すものである。
【００６１】
音声及び静止画データの再生装置１２０は、再生制御部６００と、音声復号化部６１０と、音声デコード部６２０と、スピーカー装置３１０と、静止画デコード部６３０と、ディスプレイ装置３２０と、再生制御ボタン部３００から構成される。
【００６２】
再生制御部６００は、ＳＤメモリカード１４０からＣＰＲＭ規格に基づいて暗号化されたＡＡＣ形式の音声データと、音声データに関連付けられたＪＰＥＧ形式のデータを読み込み、暗号化されたＡＡＣ形式の音声データを音声復号化部６１０に出力し、ＪＰＥＧ形式のデータを静止画デコード部６３０に出力するソフトウェアまたはハードウェアである。
【００６３】
音声復号化部６１０は、暗号化されたＡＡＣ形式のデータの復号化を行い、暗号化されてないＡＡＣ形式のデータに変換するソフトウェアまたはハードウェアである。
【００６４】
音声デコード部６２０は、ＡＡＣ形式のデータをスピーカー装置３１０に入力可能なデータに変換するソフトウェアまたはハードウェアである。
【００６５】
スピーカー装置３１０は、音声データを外部に音声７００として出力するハードウェアである。
【００６６】
静止画デコード部６３０は、ＪＰＥＧ形式のデータをディスプレイ装置３２０に入力可能なデータに変換するソフトウェアまたはハードウェアである。
【００６７】
ディスプレイ装置３２０は、外部に静止画７１０として出力するハードウェアである。
【００６８】
再生制御ボタン部３００は、操作者が再生するトラック番号を選択するためのハードウェアであり、図４で示されているように、上ボタン、下ボタン、左ボタン、右ボタンと、再生を開始するための再生ボタンから構成されている。
【００６９】
図９は、トラック情報ファイルにトラック情報＃１からトラック情報＃９まで９つのトラック情報が含まれている場合の再生の手順を示したフローチャートである。
【００７０】
図１０は、再生モードにおいてディスプレイ装置３２０に出力される画像を示した図である。
【００７１】
以下、図９及び図１０を用いて音声及び静止画データの再生装置１２０による音声及び静止画の再生方法の一例について説明する。
【００７２】
操作者が切替スイッチ１３０を操作し、モードを再生モードに変更したときに図９の処理が行なわれる。
【００７３】
ステップＳ３００において、再生制御装置３１０はＳＤメモリカード１４０からトラック情報ファイルを読込む。
【００７４】
ステップＳ３１０において、ｉを１に設定する。ｉは、選択されているトラック番号を意味する変数である。
【００７５】
ステップＳ３２０において、再生制御装置３１０は、ステップＳ３００で読込まれたトラック情報を参照し、トラック情報＃１からトラック情報＃９に含まれる静止画の番号が示す静止画データファイルを、ＳＤメモリカード１４０から読込む。
【００７６】
ステップＳ３３０において、ステップＳ３２０で読込まれた９つの静止画データは、静止画デコード部６３０によりデコードされて、ディスプレイ装置３２０に表示される。さらに、ディスプレイ装置３２０に表示された静止画の周りに、現在選択されていることを操作者に示すカーソルを表示する。例えば、ｉが１のとき、図１０（ａ）の位置にカーソルが表示され、ｉが２のとき、図１０（ｂ）の位置にカーソルが表示され、ｉが４のとき、図１０（ｃ）のの位置にカーソルが表示される。
【００７７】
ステップＳ３４０において、操作者が切替スイッチ１３０を操作して現在のモードを変更したか検査する。モードが変更されず再生モードのままの場合はステップＳ３５０に移行し、モードが変更された場合はステップＳ４００に移行する。
【００７８】
ステップＳ３５０において、現在音声データを再生中であった場合、音声データの再生が完了したかどうか調べる。モードが再生モードの変更された後、再生ボタンを押す前は音声データの再生は行なわれないので、その場合はステップＳ３６０へ移行する。音声データの再生が完了した場合はステップＳ３８０へ移行し、まだ完了していない場合はステップＳ３６０へ移行する。例えば、３分間の音声データの再生中であれば、３分経過した時点でステップＳ３８０へ移行し、それまではステップＳ３６０へ移行する。
【００７９】
ステップＳ３６０において、操作者による再生制御ボタン部３００のボタンの押下判定を行なう。ボタンが押されていなかった場合、ステップＳ３４０へ遷移する。再生ボタンが押された場合はステップＳ３９０に遷移し、上ボタン、下ボタン、左ボタン、右ボタンのどれかが押された場合はステップＳ３７０へ遷移する。
【００８０】
ステップＳ３７０において、ステップＳ３６０で押されたボタンにより、選択されているトラック番号ｉの値を変更する。左ボタンが押された場合は、ｉの値を１減らし、右ボタンが押された場合は、ｉの値を１増やす。上ボタンが押された場合は、カーソルが１行上に移動するよう、ｉの値を３減らし、下ボタンが押された場合は、カーソルが１行下に移動するよう、ｉの値を３増やす。
【００８１】
ステップＳ３８０は、音声データの再生が終了したときに実行される。ステップＳ３８０において、次の音声データが再生されるようｉの値に１を加える。
【００８２】
ステップＳ３９０において、再生制御装置３１０は、トラック情報＃ｉが指す音声データを読込む。この音声データは暗号化されているので、音声復号化部６１０において復号し、音声デコード部６２０においてデコードし、スピーカー装置によって外部の音声７００として出力される。
【００８３】
ステップＳ４００は、モードが変更されたときに処理される。ステップＳ４００において、再生中の音声データがあれば再生を停止する。
【００８４】
図９及び図１０は、ＳＤメモリカード１４０に記録されたトラック情報ファイルに、９つのトラック情報がある場合の図であるが、１０以上のトラック情報がある場合は、例えばカーソルが最下行にきたら、次の３つのトラック情報が指す静止画データファイルを読込み、全体を１行上に移動させて３つの静止画を最下行に表示するというように、スクロール処理を行なっても良い。また、一度に表示する画像数は、９ではなく、例えば４行４列の１６でも良いし、他の数でも良い。また、トラック情報の数や、画像の大きさに応じて、一度に表示する画像数が変化しても良い。操作者がボタンを操作することにより、一度に表示する画像数が変化しても良い。
【００８５】
本実施の形態において、音声はＡＡＣ形式で記録したが、音声は、ＭＰ３形式やＷＭＡ（Ｗｉｎｄｏｗｓ（Ｒ）　Ｍｅｄｉａ　Ａｕｄｉｏ）形式で記録しても良い。
【００８６】
また、本実施の形態は、ＳＤ−Ａｕｄｉｏ規格に基づいたデータとして記録したが、ＳＤ−Ａｕｄｉｏ規格に限らず、音声と静止画を関連付けて記録できる方式であれば良い。その場合は、音声暗号化部４３０及び音声復号化部６１０はなくても良い。また、ＳＤメモリカード１４０は、ＳＤメモリカードでなくても良く、半導体メモリカードやハードディスク装置のような、記録が可能な媒体であれば良い。
【００８７】
【発明の効果】
本発明における静止画及び音声データの記録装置は、静止画と音声だけを半導体メモリカードに記録するので、動画に比べて、長時間の記録が可能となる。
【００８８】
また、入力音量が増加した時に自動的に撮影を行なうことを特徴としているので、例えば、会議の様子を記録した際、操作者は会議が始まるときにスイッチを操作して記録モードとし、終わったときに停止モードにするだけで、会議参加者が発声したときに自動的に撮影が行なわれ、操作者の手を煩わせることが無い。
【００８９】
本発明のおける静止画及び音声データの再生装置は、画像と、その画像を撮影したときから次の撮影までの音声を１つのコンテンツとして記録するので、後々音声を再生したとき、どのような場面で発せられた音声か操作者が理解することができる。
【００９０】
また、画像の一覧を表示し、その中から操作者が任意の画像を選択すると、選択された画像に関連付けられた音声を再生することができるので、例えば、会議中にある人がホワイトボードの前に立って何を喋ったか、ということを操作者が思い出したいと考えた時、ある人がホワイトボードの前に立っている画像を選択してから音声再生ボタンを押すことにより、長時間の音声データの中から聴きたいと思う部分を容易に見つけ出し、聴くことができる。
【図面の簡単な説明】
【図１】本発明における音声及び静止画データの記録再生装置の構成を示す図
【図２】ＳＤ−Ａｕｄｉｏ規格のデータ構造のうち本発明に関係する部分の構成を示す図
【図３】本発明における音声及び静止画データの記録再生装置の外観の一例を示す図
【図４】図３に示した音声及び静止画データの記録再生装置を背面から見た図
【図５】本発明における音声及び静止画データの記録装置の構成を示す図
【図６】図５に示した音声及び静止画データの記録装置の動作の例を示すフローチャート
【図７】本発明における音量変化検出部が音量変化を検出する例を示す図
【図８】本発明における音声及び静止画データの再生装置の構成を示す図
【図９】図８に示した音声及び静止画データの再生装置の動作の例を示すフローチャート
【図１０】図８に示した音声及び静止画データの再生装置のディスプレイ装置に出力される画像を示した図
【符号の説明】
１００　音声及び静止画データの記録再生装置
１１０　音声及び静止画データの記録装置
１２０　音声及び静止画データの再生装置
１３０　切替スイッチ
１４０　ＳＤメモリカード
２００　マイク装置
２１０　カメラ装置
３００　再生制御ボタン部
３１０　スピーカー装置
３２０　ディスプレイ装置
４００　音量変化検出部
４１０　音声エンコード部
４２０　音声分割部
４３０　音声暗号化部
４４０　静止画エンコード部
４５０　記録制御部
５００　音声
５１０　風景
６００　再生制御部
６１０　音声復号化部
６２０　音声デコード部
６３０　静止画デコード部
７００　音声
７１０　静止画
【図１】
2004135233.tif 000003
【図２】
2004135233.tif 000004
【図３】
2004135233.tif 000005
【図４】
2004135233.tif 000006
【図５】
2004135233.tif 000007
【図６】
2004135233.tif 000008
【図７】
2004135233.tif 000009
【図８】
2004135233.tif 000010
【図９】
2004135233.tif 000011
【図１０】
2004135233.tif 000012